(57)【要約】【課題】交換不要な消耗品の交換を抑制する手段を提供する。【解決手段】画像形成装置に搭載された錠を施錠することで消耗品の交換を規制しておき、前記画像形成装置の表示部に表示されている識別情報を携帯情報端末の読取部で読取り、前記携帯情報端末の読取部で読取った識別情報を用いて該識別情報を持つ画像形成装置の状態情報を読み出し、前記識別情報を持つ画像形成装置の状態が前記消耗品の脱離が必要な場合、該識別情報を持つ画像形成装置の錠を開錠して前記消耗品を脱離可能とし、前記識別情報を持つ画像形成装置の状態が前記消耗品の脱離が不要な場合、該識別情報を持つ画像形成装置を施錠した状態とする。【選択図】        図３
2019008142.tif 000002
【特許請求の範囲】
【請求項１】
画像形成装置の消耗品交換方法であって、
画像形成装置に搭載された錠を施錠することで消耗品の交換を規制しておき、
前記画像形成装置の表示部に表示されている識別情報を携帯情報端末の読取部で読取り、
前記携帯情報端末の読取部で読取った識別情報を用いて該識別情報を持つ画像形成装置の状態情報を読み出し、
前記識別情報を持つ画像形成装置の状態が前記消耗品の脱離が必要な場合、該識別情報を持つ画像形成装置の錠を開錠して前記消耗品を脱離可能とし、
前記識別情報を持つ画像形成装置の状態が前記消耗品の脱離が不要な場合、該識別情報を持つ画像形成装置を施錠した状態とすることを特徴とする消耗品交換方法。
【請求項２】
画像形成装置と、情報処理装置と、携帯情報端末とを有する画像形成システムにおいて、
前記画像形成装置は、
着脱可能な消耗品と、
前記消耗品の着脱を規制する錠とを有し、
前記携帯情報端末は、
前記画像形成装置の識別情報および前記消耗品の識別情報を読取る読取部を有し、
前記画像形成装置は、
消耗品の使用情報を前記情報処理装置に送信し、
前記情報処理装置は、
前記使用情報に基づいて消耗品の寿命を判定し、
前記消耗品が寿命に達したと判定すると、警告情報を前記携帯情報端末に送信し、
前記携帯情報端末は、
前記警告情報を受けると警告画面を表示し、
前記警告情報と、読取った前記画像形成装置の識別情報および前記消耗品の識別情報とに基づいて消耗品の交換が可能であると判定すると、前記画像形成装置の錠を解錠する解錠指示を前記情報処理装置に送信し、
前記情報処理装置は、
前記解錠指示を受けると前記画像形成装置に解錠指示を送信し、
前記画像形成装置は、
前記解錠指示を受けると錠を解錠することを特徴とする画像形成システム。
【請求項３】
請求項２に記載の画像形成システムにおいて、
前記携帯情報端末は、
前記読取部で読取った前記画像形成装置が消耗品の交換対象の画像形成装置であり、
かつ、前記読取部で読取った前記消耗品が交換対象の消耗品であるとき、
前記消耗品の交換が可能であると判定することを特徴とする画像形成システム。
【請求項４】
請求項３に記載の画像形成システムにおいて、
前記携帯情報端末は、
前記警告情報に含まれる画像形成装置の識別情報と、前記読取部で読取った前記画像形成装置の識別情報とが一致し、
かつ、前記警告情報に含まれる消耗品の種類と、前記読取部で読取った前記消耗品の種類とが一致した場合、
前記消耗品の交換が可能であると判定することを特徴とする画像形成システム。
【請求項５】
請求項４に記載の画像形成システムにおいて、
前記携帯情報端末は、
前記警告情報に含まれる画像形成装置の識別情報と、前記読取部で読取った前記画像形成装置の識別情報とが一致しない場合、警告画面を表示することを特徴とする画像形成システム。
【請求項６】
請求項４また請求項５に記載の画像形成システムにおいて、
前記携帯情報端末は、
前記警告情報に含まれる消耗品の種類と、前記読取部で読取った前記消耗品の種類とが一致しない場合、警告画面を表示することを特徴とする画像形成システム。
【請求項７】
画像形成装置と、携帯情報端末とを有する画像形成システムにおいて、
前記画像形成装置は、
着脱可能な消耗品と、
前記消耗品の着脱を規制する錠とを有し、
前記携帯情報端末は、
前記画像形成装置の識別情報および前記消耗品の識別情報を読取る読取部を有し、
前記画像形成装置は、
消耗品の使用情報を前記携帯情報端末に送信し、
前記携帯情報端末は、
前記使用情報に基づいて消耗品の寿命を判定し、
前記消耗品が寿命に達したと判定すると、警告画面を表示し、
前記使用情報と、読取った前記画像形成装置の識別情報および前記消耗品の識別情報とに基づいて消耗品の交換が可能であると判定すると、前記画像形成装置の錠を解錠する解錠指示を前記画像形成装置に送信し、
前記画像形成装置は、
前記解錠指示を受けると錠を解錠することを特徴とする画像形成システム。
【請求項８】
請求項７に記載の画像形成システムにおいて、
前記携帯情報端末は、
前記読取部で読取った前記画像形成装置が消耗品の交換対象の画像形成装置であり、
かつ、前記読取部で読取った前記消耗品が交換対象の消耗品であるとき、
前記消耗品の交換が可能であると判定することを特徴とする画像形成システム。
【請求項９】
請求項８に記載の画像形成システムにおいて、
前記携帯情報端末は、
前記使用情報に含まれる画像形成装置の識別情報と、前記読取部で読取った前記画像形成装置の識別情報とが一致し、
かつ、前記使用情報に含まれる消耗品の種類と、前記読取部で読取った前記消耗品の種類とが一致した場合、
前記消耗品の交換が可能であると判定することを特徴とする画像形成システム。
【請求項１０】
請求項９に記載の画像形成システムにおいて、
前記携帯情報端末は、
前記使用情報に含まれる画像形成装置の識別情報と、前記読取部で読取った前記画像形成装置の識別情報とが一致しない場合、警告画面を表示することを特徴とする画像形成システム。
【請求項１１】
請求項９また請求項１０に記載の画像形成システムにおいて、
前記携帯情報端末は、
前記使用情報に含まれる消耗品の種類と、前記読取部で読取った前記消耗品の種類とが一致しない場合、警告画面を表示することを特徴とする画像形成システム。
【請求項１２】
請求項２から請求項１１のいずれか１項に記載の画像形成システムにおいて、
前記錠は、電子ロックであることを特徴とする画像形成システム。
【請求項１３】
請求項２から請求項１２のいずれか１項に記載の画像形成システムにおいて、
前記消耗品は、トナーカートリッジ、イメージドラム、画像形成ユニット、ロール紙、および転写ベルトのいずれかであることを特徴とする画像形成システム。
【発明の詳細な説明】
【技術分野】
【０００１】
本発明は、着脱可能な消耗品を備えた画像形成装置を有する画像形成システムおよびその画像形成装置の消耗品交換方法に関する。
【背景技術】
【０００２】
従来の画像形成システムは、消耗品の使用状況の情報と消耗品を納入するために要する日数とに基づいて消耗品の交換が必要である旨を管理コンピュータに表示しユーザ（利用者）に報知するようにしている（例えば、特許文献１参照）。
【先行技術文献】
【特許文献】
【０００３】
【特許文献１】特開２００３−５８７８０号公報
【発明の概要】
【発明が解決しようとする課題】
【０００４】
しかしながら、従来の技術においては、ディスプレイ等の表示部を備えていない画像形成装置を有する場合、その画像形成装置を操作するユーザが消耗品の交換時期を知ることが困難であり、誤って交換不要な消耗品を交換してしまうという問題がある。
本発明は、このような問題を解決することを課題とし、交換不要な消耗品の交換を抑制することを目的とする。
【課題を解決するための手段】
【０００５】
そのため、本発明は、画像形成装置の消耗品交換方法であって、画像形成装置に搭載された錠を施錠することで消耗品の交換を規制しておき、前記画像形成装置の表示部に表示されている識別情報を携帯情報端末の読取部で読取り、前記携帯情報端末の読取部で読取った識別情報を用いて該識別情報を持つ画像形成装置の状態情報を読み出し、前記識別情報を持つ画像形成装置の状態が前記消耗品の脱離が必要な場合、該識別情報を持つ画像形成装置の錠を開錠して前記消耗品を脱離可能とし、前記識別情報を持つ画像形成装置の状態が前記消耗品の脱離が不要な場合、該識別情報を持つ画像形成装置を施錠した状態とすることを特徴とする。
【発明の効果】
【０００６】
このようにした本発明は、交換不要な消耗品の交換を抑制することができるという効果が得られる。
【図面の簡単な説明】
【０００７】
【図１】実施例における画像形成装置の構成を示す概略側断面図
【図２】実施例における電子ロックの説明図
【図３】実施例における画像形成システムの構成を示すブロック図
【図４】実施例における２次元コードが表す情報の説明図
【図５】実施例における携帯端末の表示画面の説明図
【図６】実施例における消耗品交換処理の流れの説明図
【図７】変形例における消耗品交換処理の流れの説明図
【発明を実施するための形態】
【０００８】
以下、図面を参照して本発明による消耗品交換方法および画像形成システムの実施例を説明する。
【実施例】
【０００９】
図１は実施例における画像形成装置の構成を示す概略側断面図である。
図１において、画像形成装置としての印刷装置１０１は、例えば連続した印刷媒体としての長尺状のロール紙に画像を形成する電子写真方式のフルカラープリンタである。
【００１０】
印刷装置１０１は、ロール紙収納部１０２と、搬送ローラ１０３ａ〜１０３ｄと、カッタユニット１０４と、トナーカートリッジ１０５ａ〜１０５ｃと、イメージドラム１０６ａ〜１０６ｃと、転写ベルト１０７と、定着ユニット１０９と、用紙保持ローラ１１０と、画像形成部（画像形成ユニット）１１１と、転写ローラ１１２ａ〜１１２ｃとを有している。
ロール紙収納部１０２は、円柱状に巻回されたロール紙Ｐを着脱可能に収納するものである。
【００１１】
搬送ローラ１０３ａ〜１０３ｄは、ロール紙Ｐを搬送する媒体搬送経路１０８上に設けられ、ロール紙収納部１０２から引き出されたロール紙Ｐを搬送するものである。搬送ローラ１０３ａ〜１０３ｄは、図中矢印Ａが示す媒体搬送方向における上流から搬送ローラ１０３ａ、搬送ローラ１０３ｂ、搬送ローラ１０３ｃ、搬送ローラ１０３ｄの順で配設されている。
【００１２】
カッタユニット１０４は、媒体搬送方向における搬送ローラ１０３ｃと搬送ローラ１０３ｄとの間に配置され、搬送ローラ１０３ａ〜１０３ｃによって搬送されるロール紙Ｐを所定の長さで切断するものである。
【００１３】
画像形成ユニットとしての画像形成部１１１は、媒体搬送方向における搬送ローラ１０３ｄの下流に配置され、複数色（例えば、３色）の現像剤としてのトナーの画像を形成するものである。画像形成部１１１は、電子写真方式を用いて現像剤像としての３色のトナー画像を形成するものである。この画像形成部１１１は、回転可能な像担持体としてのイメージドラム１０６（１０６ａ、１０６ｂ、１０６ｃ）と、それぞれのイメージドラム１０６の表面を一様に帯電させる帯電手段としての帯電ローラと、帯電されたそれぞれのイメージドラム１０６の表面に光を選択的に照射して静電潜像を形成する露光手段としての露光装置と、それぞれのイメージドラムに形成された静電潜像に現像剤としてのトナーを搬送してトナー画像を形成する現像ユニットとを有するものである。
【００１４】
画像形成部１１１およびイメージドラム１０６（１０６ａ、１０６ｂ、１０６ｃ）は、印刷装置１０１に対して着脱可能に構成されている。
トナーカートリッジ１０５ａ〜１０５ｃは、３色のトナーを内部に収容するものである。例えば、トナーカートリッジ１０５ａは、イエローのトナーを収容し、トナーカートリッジ１０５ｂは、マゼンタのトナーを収容し、トナーカートリッジ１０５ｃは、シアンのトナーを収容する。
【００１５】
トナーカートリッジ１０５ａ、１０５ｂ、１０５ｃに収容されたトナーは、それぞれイメージドラム１０６ａ、１０６ｂ、１０６ｃに形成された静電潜像に供給され、トナー画像が現像される。
トナーカートリッジ１０５ａ〜１０５ｃは、一体となって印刷装置１０１の画像形成部１１１に対して水平方向または上下方向に着脱可能に構成されている。また、トナーカートリッジ１０５ａ〜１０５ｃは、後述する電子ロック２００により、画像形成部１１１に対する着脱が規制されるようになっている。
【００１６】
転写ベルト１０７は、画像形成部１１１のイメージドラム１０６ａ、１０６ｂ、１０６ｃと対向配置され、媒体搬送経路１０８に沿って回転可能に構成された環状のベルトである。転写ベルト１０７は、転写ユニットとして印刷装置１０１に対して着脱可能に構成されている。
【００１７】
転写ローラ１１２ａ、１１２ｂ、１１２ｃは、転写ベルト１０７を挟んで画像形成部１１１のイメージドラム１０６ａ、１０６ｂ、１０６ｃのそれぞれに対向する位置に配置されている。転写ローラ１１２ａ、１１２ｂ、１１２ｃは、転写ベルト１０７によって搬送されるロール紙Ｐにイメージドラム１０６ａ、１０６ｂ、１０６ｃに形成されたトナー画像を転写するものである。
【００１８】
定着ユニット１０９は、媒体搬送方向における転写ベルト１０７の下流に配置され、熱と圧力でロール紙Ｐに転写されたトナー画像を定着させるものである。
用紙保持ローラ１１０は、媒体搬送方向における定着ユニット１０９の下流に配置され、定着ユニット１０９でトナー画像が定着されたロール紙Ｐを挟持して保持するものである。ロール紙Ｐは、利用者により引き抜かれるまで用紙保持ローラ１１０によって保持される。
【００１９】
なお、本実施例の印刷装置１０１は、装置名等の識別情報を記述した２次元コードを有している。この２次元コードは、印刷装置１０１に貼付されているものであっても、またディスプレイ等の表示部に表示されるものであっても良い。
【００２０】
図２は実施例における電子ロックの説明図である。
図２において、消耗品２２０の着脱を規制する錠としての電子ロック２００は、鉄心２０２と、ソレノイド２０３とを有している。
【００２１】
消耗品２２０は、印刷装置１０１に対して着脱可能なものであり、例えば図１に示すトナーカートリッジ１０５、イメージドラム１０６（１０６ａ、１０６ｂ、１０６ｃ）、画像形成部１１１、ロール紙Ｐ、転写ベルト１０７等である。この消耗品２２０には、鉄心２０２が嵌合する嵌合穴２２１が形成されている。
【００２２】
なお、本実施例では、消耗品２２０をトナーカートリッジとして説明するが、イメージドラム、画像形成部、ロール紙、および転写ベルトのいずれかであっても良い。
【００２３】
鉄心２０２は、印刷装置１０１に対して移動可能に構成され、消耗品２２０に形成された嵌合穴２２１に対して挿抜可能になっている。鉄心２０２が消耗品２２０の嵌合穴２２１に挿入されて嵌合すると、消耗品２２０は印刷装置１０１に対して図中矢印Ｂが示す着脱方向に移動することができず着脱不可能になり、一方鉄心２０２が消耗品２２０の嵌合穴２２１から抜かれると、消耗品２２０は図中矢印Ｂが示す着脱方向に移動可能になって印刷装置１０１に対して着脱可能になる。
【００２４】
ソレノイド２０３は、鉄心２０２を印刷装置１０１に対して移動させるものである。また、ソレノイド２０３は、鉄心２０２を印刷装置１０１から突出する図中矢印Ｃが示す方向へ付勢している。本実施例では、ソレノイド２０３は、通電することにより付勢力に抗して消耗品２２０の嵌合穴２２１に嵌合した鉄心２０２を引き抜き、通電を解除することにより付勢力によって鉄心２０２を消耗品２２０の嵌合穴２２１に嵌合させる。
【００２５】
図３は実施例における画像形成システムの構成を示すブロック図である。
図３において、画像形成システム１００は、印刷装置１０１（１０１ａ、１０１ｂ）と、ユーザ（利用者）側のサーバ３００と、メーカ側のサーバ３０１と、携帯端末３０２とを有している。サーバ３００は、印刷装置１０１、サーバ３０１、および携帯端末３０２との間で通信可能になっている。
【００２６】
印刷装置１０１、サーバ３００、３０１、および携帯端末３０２は、ＣＰＵ（Ｃｅｎｔｒａｌ  Ｐｒｏｃｅｓｓｉｎｇ  Ｕｎｉｔ）等の制御部を備え、メモリ等の記憶部に記憶された制御プログラム（ソフトウェア）に基づいてそれぞれの装置全体の動作が制御される。
【００２７】
また、印刷装置１０１、サーバ３００、３０１、および携帯端末３０２は、通信回線１０を介して他の装置との間で通信を行う通信部を備えている。
なお、本実施例では、２台の印刷装置１０１（１０１ａ、１０１ｂ）がサーバ３００と接続されたものとして説明するが、印刷装置１０１は１台であっても３台以上であっても良い。
【００２８】
情報処理装置としてのサーバ３００は、印刷装置１０１を管理するユーザ側のコンピュータである。サーバ３００は、印刷装置１０１（１０１ａ、１０１ｂ）の消耗品２２０（２２０ａ、２２０ｂ）の寿命の判断、消耗品２２０（２２０ａ、２２０ｂ、２２０ｃ）の２次元コードの管理、印刷装置１０１の装置名の登録および保持、携帯端末３０２への通知、印刷装置１０１に対して電子ロックの解錠（解除）および施錠の指示を行う。
【００２９】
サーバ３００は、それぞれの印刷装置１０１（１０１ａ、１０１ｂ）の消耗品２２０（２２０ａ、２２０ｂ）の使用状況を記憶部に記憶し、印刷装置１０１（１０１ａ、１０１ｂ）から受信した印刷ドットカウント等の消耗品２２０（２２０ａ、２２０ｂ）の使用情報に基づいてそれぞれの印刷装置１０１（１０１ａ、１０１ｂ）に装着されている消耗品２２０（２２０ａ、２２０ｂ）が寿命に達したか否かの寿命の判断を行う。
【００３０】
また、サーバ３００は、消耗品２２０（２２０ａ、２２０ｂ、２２０ｃ）に取り付けられた消耗品識別情報としての２次元コード２２１ａ、２２１ｂ、２２１ｃに関連付けてそれぞれの消耗品の種類や新旧等の情報を記憶部に記憶して管理する。
サーバ３０１は、印刷装置１０１（１０１ａ、１０１ｂ）および消耗品２２０を販売するメーカ側のコンピュータである。サーバ３０１は、サーバ３００から消耗品２２０の使用状況の情報を受信し、消耗品２２０の在庫管理等を行う。
【００３１】
携帯情報端末としての携帯端末３０２は、サーバ３００を介して印刷装置１０１（１０１ａ、１０１ｂ）をリモートで操作するものであり、例えば携帯電話やスマートフォン、タブレット端末等の多機能携帯型端末装置等である。
携帯端末３０２は、印刷装置１０１（１０１ａ、１０１ｂ）および消耗品２２０（２２０ａ、２２０ｂ、２２０ｃ）の２次元コード（識別情報）の読取りを行うカメラ等の読取部３２１と、各種情報を表示するディスプレイ等の表示部３２２とを備えている。
【００３２】
携帯端末３０２は、消耗品２２０（２２０ａ、２２０ｂ、２２０ｃ）の２次元コード２２１ａ、２２１ｂ、２２１ｃの読取りおよび認識、サーバ３００へ印刷装置１０１（１０１ａ、１０１ｂ）の電子ロックの解錠および施錠の指示、消耗品２２０（２２０ａ、２２０ｂ）の寿命警告表示、印刷装置１０１（１０１ａ、１０１ｂ）の２次元コード１２０ａ、１２０ｂの読取りおよび認識等を行う。
【００３３】
携帯端末３０２は、印刷装置１０１（１０１ａ、１０１ｂ）および消耗品２２０の２次元コードの読取りを読取部３２１で行い、また消耗品２２０の寿命警告表示を表示部３２２で行う。
【００３４】
印刷装置１０１（１０１ａ、１０１ｂ）は、装置名等の識別情報（印刷装置識別情報）を記述した２次元コード１２０ａ、１２０ｂが設けられている。また、印刷装置１０１（１０１ａ、１０１ｂ）は、消耗品２２０（２２０ａ、２２０ｂ）に関する情報をサーバ３００に通知する。さらに、印刷装置１０１（１０１ａ、１０１ｂ）は、図１に示すようにトナーカートリッジ１０５ａ〜１０５ｃのそれぞれに、図２に示す電子ロック２００（２００ａ〜２００ｃ）を有しており、サーバ３００から電子ロックの解錠指示を受けることにより電子ロック２００（２００ａ〜２００ｃ）を通電し、消耗品としてのトナーカートリッジ１０５ａ〜１０５ｃのそれぞれを着脱可能にする。
【００３５】
なお、サーバ３００は、それぞれの印刷装置１０１（１０１ａ、１０１ｂ）に対して電子ロックの解錠指示を送信することができるようになっている。
印刷装置１０１（１０１ａ、１０１ｂ）の２次元コード１２０ａ、１２０ｂには、印刷装置１０１（１０１ａ、１０１ｂ）を識別する印刷装置識別情報が記述され、例えば図４（ａ）に示すように、印刷装置１０１ａの装置名である「プリンタＡ１２３」、印刷装置１０１ｂの装置名である「プリンタＢ１２４」等の印刷装置識別情報が記述される。
【００３６】
また、印刷装置１０１（１０１ａ、１０１ｂ）は、２次元コード１２０ａ、１２０ｂに記述された印刷装置識別情報と同じ印刷装置識別情報を記憶部に記憶している。
消耗品２２０ａは、印刷装置１０１ａに装着されたものであり、消耗品２２０ｂは、印刷装置１０１ｂに装着されたものであり、消耗品２２０ｃは、消耗品２２０に代わって交換される新しいものである。消耗品２２０ａ、消耗品２２０ｂおよび消耗品２２０ｃには、消耗品の種類を識別するための２次元コード２２１ａ、２２１ｂ、２２１ｃが取り付けられている。
【００３７】
消耗品２２０（２２０ａ、２２０ｂ、２２０ｃ）の２次元コード２２１ａ、２２１ｂ、２２１ｃには、消耗品２２０（２２０ａ、２２０ｂ、２２０ｃ）を識別する識別情報（消耗品識別情報）が記述され、例えば図４（ｂ）に示すように、消耗品２２０ａの識別情報である「ＹＹＹ１」が記述され、消耗品２２０ｂの識別情報である「ＭＭＭ２」が記述され、消耗品２２０ｃの識別情報である「ＹＹＹ３」が記述される。
【００３８】
本実施例の画像形成システム１００では、携帯端末３０２は、接続可能な印刷装置１０１の印刷装置識別情報を予め登録しておくものとする。
【００３９】
例えば、ユーザ（利用者）の操作により携帯端末３０２は、印刷装置１０１ａの２次元コード１２０ａを読取り、印刷装置１０１ａの印刷装置識別情報が記憶部に登録されることにより、印刷装置１０１ａとの間で接続が可能になる。また、ユーザの操作により携帯端末３０２は、印刷装置１０１ｂの２次元コード１２０ｂを読取り、印刷装置１０１ｂの印刷装置識別情報が記憶部に登録されることにより、印刷装置１０１ｂとの間で接続が可能になる。
【００４０】
図５は実施例における携帯端末の表示画面の説明図である。図５（ａ）は警告表示画面、図５（ｂ）は２次元コード認識画面、図５（ｃ）は電子ロック解除画面、図５（ｄ）は消耗品を交換する印刷装置でない場合の警告画面、図５（ｅ）は交換すべき消耗品でない場合の警告画面の説明図である。
【００４１】
図５（ａ）に示す警告表示画面４０１は、図３に示すサーバ３００により消耗品２２０が寿命に達したと判断された場合に、携帯端末３０２の表示部３２２に表示される画面である。警告表示画面４０１は、装置名および交換すべき消耗品の種類をユーザに報知する画面であり、例えば“寿命警告  「装置Ｎｏ．１」の「イエロートナーを交換してください」”等の文言および２次元コード認識画面へ移行する操作ボタン４０２で構成されたものである。
【００４２】
図５（ｂ）に示す２次元コード認識画面４０３は、図５（ａ）に示す警告表示画面４０１の操作ボタン４０２が押下された場合に、携帯端末３０２の表示部３２２に表示される画面である。
【００４３】
２次元コード認識画面４０３は、装置２次元コード４０４と、読取ボタン４０５と、消耗品２次元コード４０６と、読取ボタン４０７と、確定ボタン４０８とを有している。
装置２次元コード４０４は、図３に示す携帯端末３０２で印刷装置１０１に設けられた２次元コードを読取った場合に、読み取った２次元コードを表示する領域である。
【００４４】
読取ボタン４０５は、図３に示す携帯端末３０２で印刷装置１０１に設けられた２次元コードを読取るときに押下するボタンである。
消耗品２次元コード４０６は、図３に示す携帯端末３０２で新しい消耗品（未使用の消耗品）２２０ｃに設けられた２次元コードを読取った場合に、読み取った２次元コードを表示する領域である。
【００４５】
読取ボタン４０７は、図３に示す携帯端末３０２で新しい消耗品２２０ｃに設けられた２次元コードを読取るときに押下するボタンである。
確定ボタン４０８は、読取ボタン４０５および読取ボタン４０７を押下して図３に示す携帯端末３０２で印刷装置１０１および新しい消耗品２２０ｃに設けられた２次元コードを読取った後、読み取った２次元コードを確定させ、印刷装置１０１の電子ロックを解除する指示をサーバ３００へ送信するときに押下するボタンである。
【００４６】
図５（ｃ）に示す電子ロック解除画面４１０は、図５（ｂ）に示す２次元コード認識画面４０３の確定ボタン４０８が押下された場合に、図３に示す携帯端末３０２の表示部３２２に表示される画面である。
電子ロック解除画面４１０は、「電子ロックを解除しました」等の電子ロックを解除した旨の文言と、確定ボタン４１１を有している。
【００４７】
確定ボタン４１１は、電子ロック解除画面４１０の電子ロックを解除した旨の文言を確認したユーザによって押下されるボタンである。
図５（ｄ）に示す消耗品を交換する印刷装置でない場合の警告画面４２０は、図３に示す携帯端末３０２で２次元コードを読取った印刷装置１０１の消耗品が寿命に達していない場合に、携帯端末３０２の表示部３２２に表示される画面である。
【００４８】
警告画面４２０は、消耗品が寿命に達していない印刷装置１０１であることをユーザに報知する「装置が違います」等の文言、“「装置Ｎｏ．１」の「イエロートナーを交換してください」”等の文言および２次元コード認識画面へ移行する操作ボタン４２２で構成されたものである。なお、操作ボタン４２２が押下された場合、図５（ｂ）に示す２次元コード認識画面４０３に遷移するものとする。
【００４９】
図５（ｅ）に示す交換すべき消耗品でない場合の警告画面４３０は、図３に示す携帯端末３０２で２次元コードを読取った消耗品２２０ｃの種類が寿命に達した消耗品の種類と異なる場合や２次元コードを読取った消耗品２２０ｃが新品でない場合に、携帯端末３０２の表示部３２２に表示される画面である。
【００５０】
警告画面４３０は、消耗品が異なることをユーザに報知する「消耗品が違います」等の文言、“「装置Ｎｏ．１」の「イエロートナーを交換してください」”等の文言および２次元コード認識画面へ移行する操作ボタン４３２で構成されたものである。なお、操作ボタン４３２が押下された場合、図５（ｂ）に示す２次元コード認識画面４０３に遷移するものとする。
【００５１】
上述した構成の作用について説明する。
【００５２】
画像形成システムが行う消耗品交換処理を図６の実施例における消耗品交換処理の流れの説明図の図中Ｓで表すステップに従って説明する。
なお、本実施例では、図３に示す画像形成システム１００の印刷装置１０１ａの消耗品交換処理を説明する。
【００５３】
また、携帯端末３０２には、図３に示す印刷装置１０１ａおよび印刷装置１０１ｂが接続可能な印刷装置として印刷装置１０１ａの印刷装置識別情報が記憶部に登録されているものとする。
まず、印刷装置１０１ａは、図２に示す電子ロック２００を施錠し、消耗品２２０ａの着脱（交換）を規制しておくものとする。
【００５４】
Ｓ１：印刷装置１０１ａは、所定の時間が経過する度に、消耗品２２０ａの使用情報をサーバ３００へ送信する。この使用情報は、印刷装置識別情報を含んでいる。
サーバ３００は、受信した消耗品２２０ａの使用情報に基づいて消耗品２２０ａが寿命に達したか否かを判定する。
【００５５】
Ｓ２：サーバ３００は、消耗品２２０ａが寿命に達したと判定すると消耗品２２０ａが寿命に達したことを警告する警告情報を携帯端末３０２へ送信する。この警告情報は、印刷装置１０１ａの印刷装置識別情報および寿命に達した消耗品２２０ａの種類の情報を含んでいる。
携帯端末３０２は、警告情報を受信すると表示部３２２に警告画面としての警告表示画面を表示する。この警告表示画面は、例えば図５（ａ）に示す警告表示画面４０１である。
【００５６】
携帯端末３０２は、利用者により２次元コード認識画面へ移行させる操作を警告表示画面で受け付け、表示部３２２に２次元コード認識画面を表示する。例えば、携帯端末３０２は、図５（ａ）に示す警告表示画面４０１の操作ボタン４０２の押下を受け付けると表示部に図５（ｂ）に示す２次元コード認識画面４０３を表示する。
【００５７】
このように、携帯端末３０２は、サーバ３００から消耗品２２０ａが寿命に達したことを警告する警告情報を受信すると、表示部３２２に警告表示画面を表示するようにしたことにより、ディスプレイ等の視覚的な報知手段を有しない印刷装置１０１においても利用者が消耗品２２０の交換時期を携帯端末３０２で知ることができる。
【００５８】
Ｓ３：携帯端末３０２は、表示部３２２に表示した２次元コード認識画面において利用者の操作を受け付けるとともに、利用者の操作により寿命に達した消耗品２２０ａを有する印刷装置１０１ａに設けられた２次元コード１２０ａを読取部３２１で読取る。例えば、携帯端末３０２は、図５（ｂ）に示す２次元コード認識画面４０３の読取ボタン４０５の押下を受け付けるとともに、カメラ等の２次元コード読取手段である読取部３２１により印刷装置１０１に設けられた２次元コードを読取る。
【００５９】
ここで、携帯端末３０２は、Ｓ２においてサーバ３００から受信した印刷装置識別情報と、読み取った印刷装置１０１の２次元コードの印刷装置識別情報とを比較し、読み取った２次元コードが寿命に達した消耗品２２０ａを有する印刷装置１０１ａでない印刷装置（例えば、図３に示す印刷装置１０１ｂ）の２次元コードであると認識した場合、寿命に達した消耗品２２０ａを有する印刷装置１０１ａの警告状態および電子ロックの状態を維持したまま読取った２次元コードを有する印刷装置（例えば、図３に示す印刷装置１０１ｂ）の消耗品の使用状況を表示部３２２に表示した後（または表示した状態のまま）、装置が誤っている旨をユーザに報知する警告画面、例えば図５（ｄ）に示す警告画面４２０を表示部３２２に表示するものとする。
【００６０】
即ち、携帯端末３０２は、サーバ３００から受信した警告情報に含まれる印刷装置１０１の印刷装置識別情報と、読取部３２１で読取った印刷装置１０１の印刷装置識別情報とが一致しない場合、警告画面を表示する。
【００６１】
また、携帯端末３０２は、読み取った２次元コードが記憶部に登録されていない印刷装置（接続が許可されていない印刷装置）の２次元コードであると認識した場合も装置が誤っている旨をユーザに報知する警告画面、例えば図５（ｄ）に示す警告画面４２０を表示部３２２に表示するものとする。
【００６２】
Ｓ４：次に、携帯端末３０２は、表示部３２２に表示した２次元コード認識画面において利用者の操作を受け付けるとともに、利用者の操作により新しい消耗品２２０ｃに設けられた２次元コード２２１ｃを読取る。例えば、携帯端末３０２は、図５（ｂ）に示す２次元コード認識画面４０３の読取ボタン４０７の押下を受け付けるとともに、読取部３２１により新しい消耗品２２０ｃに設けられた２次元コード２２１ｃを読取る。
【００６３】
ここで、携帯端末３０２は、２次元コードを読取った消耗品２２０ｃが交換対象の消耗品である否かを判定し、交換対象の消耗品でないと判定、または消耗品２２０ｃが未使用の消耗品である否かを判定し、未使用の消耗品でないと判定した場合、消耗品が誤っている旨をユーザに報知する警告画面を表示する。
【００６４】
例えば、携帯端末３０２は、Ｓ２においてサーバ３００から受信した寿命に達した消耗品２２０ａの種類の情報と、読み取った２次元コード２２１ｃから識別される消耗品の種類とを比較し、読み取った２次元コード２２１ｃが寿命に達した消耗品２２０ａと「同種類でない消耗品である」ことを認識した場合、または「新しい消耗品でない」ことを認識した場合、消耗品が誤っている旨をユーザに報知する警告画面、例えば図５（ｅ）に示す警告画面４３０を表示部３２２に表示するものとする。
【００６５】
このように、携帯端末３０２は、サーバ３００から受信した警告情報に含まれる消耗品の種類と、読取部３２１で読取った消耗品２２０ｃの種類とが一致しない場合、警告画面を表示する。
【００６６】
Ｓ５：携帯端末３０２は、印刷装置１０１ａおよび新しい消耗品２２０ｃに設けられた２次元コードを読取ると、読み取った２次元コードを確定させるため、２次元コード認識画面において利用者による確定操作を受け付ける。例えば、携帯端末３０２は、図５（ｂ）に示す２次元コード認識画面４０３の確定ボタン４０８の押下を受け付ける。
【００６７】
Ｓ６：携帯端末３０２は、確定操作を受け付けると、読取部３２１で２次元コードを読取った印刷装置１０１が消耗品の交換対象の印刷装置１０１であり、かつ、読取部３２１で２次元コードを読取った消耗品２２０ｃが交換対象の消耗品であるとき、消耗品２２０ｃの交換が可能であると判定する。
【００６８】
例えば、携帯端末３０２は、確定操作を受け付けると、読み取った印刷装置１０１の２次元コードが寿命に達した消耗品２２０ａを有する印刷装置１０１ａであることを表し、かつ読取った新しい消耗品２２０ｃの２次元コードが寿命に達した印刷装置１０１ａの消耗品２２０ａと同種類のものを表しているか否かを判定する。
【００６９】
携帯端末３０２は、読み取った印刷装置１０１の２次元コードが寿命に達した消耗品２２０ａを有する印刷装置１０１ａであることを表し、かつ読取った新しい消耗品２２０ｃの２次元コードが寿命に達した印刷装置１０１ａの消耗品２２０ａと同種類のものを表していると判定すると、サーバ３００に対して寿命に達した消耗品２２０ａを有する印刷装置１０１ａの電子ロックを解除する指示を送信する。
【００７０】
即ち、携帯端末３０２は、サーバ３００から受信した警告情報に含まれる印刷装置１０１の印刷装置識別情報と、読取部３２１で読取った印刷装置１０１の印刷装置識別情報とが一致し、かつ、警告情報に含まれる消耗品２２０ａの種類と、読取部３２１で読取った消耗品２２０ｃの種類とが一致した場合、当該消耗品の交換が可能であると判定し、印刷装置１０１の電子ロックを解錠する解錠指示をサーバ３００に送信する。
【００７１】
また、本実施例の消耗品交換方法として、印刷装置１０１に搭載された電子ロックを施錠することで消耗品２２０ａの交換を規制しておき、印刷装置１０１の表示部に表示されている２次元コードを携帯端末３０２の読取部３２１で読取り、携帯端末３０２の読取部３２１で読取った２次元コードを用いて該２次元コードを持つ印刷装置１０１の状態情報を読み出し、その２次元コードを持つ印刷装置１０１の状態が消耗品２２０ａの脱離が必要な場合、該２次元コードを持つ印刷装置１０１の電子ロックを開錠して消耗品２２０ａを脱離可能とし、該２次元コードを持つ印刷装置１０１の状態が消耗品２２０ａの脱離が不要な場合、該２次元コードを持つ印刷装置１０１の電子ロックを施錠した状態としても良い。
【００７２】
このように、携帯端末３０２は、サーバ３００から受信した警告情報と、読取部３２１で読取った印刷装置１０１の２次元コードおよび消耗品２２０ｃの２次元コードとに基づいて消耗品の交換が可能であると判定すると、印刷装置１０１の電子ロックを解錠する解錠指示をサーバ３００に送信する。
【００７３】
Ｓ７：サーバ３００は、電子ロックを解除する指示を受信すると、寿命に達した消耗品２２０ａを有する印刷装置１０１ａへ電子ロックを解除する指示（開錠指示）を送信する。電子ロックを解除する指示（開錠指示）を受信した印刷装置１０１ａは、図２に示す電子ロック２００を開錠し、消耗品２２０ａの着脱を可能にし、本処理を終了する。
【００７４】
このように、印刷装置１０１は、サーバ３００から電子ロックを解除する指示を受信しなければ電子ロックを解除することがないため、利用者が誤って交換する必要のない消耗品を交換してしまうことを抑制することができる。
また、印刷装置１０１の消耗品２２０の寿命の警告表示を携帯端末３０２で行うようにしたことにより、印刷装置１０１の動作を停止させることなく、消耗品が寿命に達したことを印刷装置１０１の管理者に報知することができる。
【００７５】
なお、本実施例では、サーバ３００において、受信した消耗品２２０ａの使用情報に基づいて消耗品２２０ａが寿命に達したか否かを判定するようにしたが、メーカ側のサーバ３０１で判定するようにしても良い。
次に、本実施例の変形例を図７の変形例における消耗品交換処理の流れの説明図の図中Ｓで表すステップに従って説明する。
【００７６】
なお、本変形例では、図３に示す画像形成システム１００の印刷装置１０１ａの消耗品交換処理を説明する。また、携帯端末３０２には、図３に示す印刷装置１０１ａおよび印刷装置１０１ｂが接続可能な印刷装置として印刷装置１０１ａの印刷装置識別情報が記憶部に登録されているものとする。
【００７７】
さらに、携帯端末３０２は、それぞれの印刷装置１０１（１０１ａ、１０１ｂ）の消耗品２２０（２２０ａ、２２０ｂ）の使用状況を記憶部に記憶し、印刷装置１０１（１０１ａ、１０１ｂ）から受信した印刷ドットカウント等の消耗品２２０（２２０ａ、２２０ｂ）の使用情報に基づいてそれぞれの印刷装置１０１（１０１ａ、１０１ｂ）に装着されている消耗品２２０（２２０ａ、２２０ｂ）が寿命に達したか否かの寿命の判断を行う。
【００７８】
また、携帯端末３０２は、消耗品２２０（２２０ａ、２２０ｂ、２２０ｃ）に取り付けられた消耗品識別情報としての２次元コード２２１ａ、２２１ｂ、２２１ｃによりそれぞれの消耗品の種類や新旧等の情報を記憶部に記憶して管理する。
【００７９】
Ｓ１０１：印刷装置１０１ａは、所定の時間が経過する度に、消耗品２２０ａの使用情報を携帯端末３０２へ送信する。この使用情報は、印刷装置識別情報および寿命に達した消耗品２２０ａの種類の情報を含んでいる。
【００８０】
携帯端末３０２は、受信した消耗品２２０ａの使用情報に基づいて消耗品２２０ａが寿命に達したか否かを判定する。
携帯端末３０２は、消耗品２２０ａが寿命に達したと判定すると表示部３２２に警告画面としての警告表示画面を表示する。この警告表示画面は、例えば図５（ａ）に示す警告表示画面４０１である。
【００８１】
このように、携帯端末３０２は、消耗品２２０ａが寿命に達したと判定すると、表示部３２２に警告表示画面を表示するようにしたことにより、ディスプレイ等の視覚的な報知手段を有しない印刷装置１０１においても利用者が消耗品２２０の交換時期を携帯端末３０２で知ることができる。
【００８２】
Ｓ１０２：携帯端末３０２は、表示部３２２に表示した２次元コード認識画面において利用者の操作を受け付けるとともに、利用者の操作により寿命に達した消耗品２２０ａを有する印刷装置１０１ａに設けられた２次元コード１２０ａを読取部３２１で読取る。例えば、携帯端末３０２は、図５（ｂ）に示す２次元コード認識画面４０３の読取ボタン４０５の押下を受け付けるとともに、カメラ等の２次元コード読取手段である読取部３２１により印刷装置１０１に設けられた２次元コードを読取る。
【００８３】
ここで、携帯端末３０２は、Ｓ１０１において印刷装置１０１から受信した印刷装置識別情報と、読み取った印刷装置１０１の２次元コードの印刷装置識別情報とを比較し、読み取った２次元コードが寿命に達した消耗品２２０ａを有する印刷装置１０１ａでない印刷装置（例えば、図３に示す印刷装置１０１ｂ）の２次元コードであると認識した場合、寿命に達した消耗品２２０ａを有する印刷装置１０１ａの警告状態および電子ロックの状態を維持したまま読取った２次元コードを有する印刷装置（例えば、図３に示す印刷装置１０１ｂ）の消耗品の使用状況を表示部３２２に表示した後（または表示した状態のまま）、装置が誤っている旨をユーザに報知する警告画面、例えば図５（ｄ）に示す警告画面４２０を表示部３２２に表示するものとする。
【００８４】
即ち、携帯端末３０２は、印刷装置１０１から受信した使用情報に含まれる印刷装置識別情報と、読取部３２１で読取った印刷装置１０１の印刷装置識別情報とが一致しない場合、警告画面を表示する。
また、携帯端末３０２は、読み取った２次元コードが記憶部に登録されていない印刷装置（接続が許可されていない印刷装置）の２次元コードであると認識した場合も装置が誤っている旨をユーザに報知する警告画面、例えば図５（ｄ）に示す警告画面４２０を表示部３２２に表示するものとする。
【００８５】
Ｓ１０３：次に、携帯端末３０２は、表示部３２２に表示した２次元コード認識画面において利用者の操作を受け付けるとともに、利用者の操作により新しい消耗品２２０ｃに設けられた２次元コード２２１ｃを読取る。例えば、携帯端末３０２は、図５（ｂ）に示す２次元コード認識画面４０３の読取ボタン４０７の押下を受け付けるとともに、読取部３２１により新しい消耗品２２０ｃに設けられた２次元コード２２１ｃを読取る。
【００８６】
ここで、携帯端末３０２は、２次元コードを読取った消耗品２２０ｃが交換対象の消耗品である否かを判定し、交換対象の消耗品でないと判定、または消耗品２２０ｃが未使用の消耗品である否かを判定し、未使用の消耗品でないと判定した場合、消耗品が誤っている旨をユーザに報知する警告画面を表示する。
【００８７】
例えば、携帯端末３０２は、読み取った２次元コード２２１ｃが寿命に達した消耗品２２０ａと「同種類でない消耗品である」ことを認識した場合、または「新しい消耗品でない」ことを認識した場合、消耗品が誤っている旨をユーザに報知する警告画面、例えば図５（ｅ）に示す警告画面４３０を表示部３２２に表示するものとする。
【００８８】
このように、携帯端末３０２は、印刷装置１０１から受信した使用情報に含まれる消耗品の種類と、読取部３２１で読取った消耗品２２０ｃの種類とが一致しない場合、警告画面を表示する。
【００８９】
Ｓ１０４：携帯端末３０２は、印刷装置１０１ａおよび新しい消耗品２２０ｃに設けられた２次元コードを読取ると、読み取った２次元コードを確定させるため、２次元コード認識画面において利用者による確定操作を受け付ける。例えば、携帯端末３０２は、図５（ｂ）に示す２次元コード認識画面４０３の確定ボタン４０８の押下を受け付ける。
【００９０】
携帯端末３０２は、確定操作を受け付けると、読取部３２１で２次元コードを読取った印刷装置１０１が消耗品の交換対象の印刷装置１０１であり、かつ、読取部３２１で２次元コードを読取った消耗品２２０ｃが交換対象の消耗品であるとき、消耗品２２０ｃの交換が可能であると判定する。
【００９１】
例えば、携帯端末３０２は、確定操作を受け付けると、読み取った印刷装置１０１の２次元コードが寿命に達した消耗品２２０ａを有する印刷装置１０１ａであることを表し、かつ読取った新しい消耗品２２０ｃの２次元コードが寿命に達した印刷装置１０１ａの消耗品２２０ａと同種類のものを表しているか否かを判定する。
【００９２】
携帯端末３０２は、読み取った印刷装置１０１の２次元コードが寿命に達した消耗品２２０ａを有する印刷装置１０１ａであることを表し、かつ読取った新しい消耗品２２０ｃの２次元コードが寿命に達した印刷装置１０１ａの消耗品２２０ａと同種類のものを表していると判定すると、寿命に達した消耗品２２０ａを有する印刷装置１０１ａへ電子ロックを解除する指示を送信する。
【００９３】
即ち、携帯端末３０２は、使用情報を受信した印刷装置１０１の印刷装置識別情報と、読取部３２１で読取った印刷装置１０１の印刷装置識別情報とが一致し、かつ、当該印刷装置１０１の消耗品２２０ａの種類と、読取部３２１で読取った消耗品２２０ｃの種類とが一致した場合、当該消耗品の交換が可能であると判定し、電子ロックを解錠する解錠指示を印刷装置１０１に送信する。
【００９４】
電子ロックを解除する指示を受信した印刷装置１０１ａは、図２に示す電子ロック２００を開錠し、消耗品２２０ａの着脱を可能にし、本処理を終了する。
【００９５】
変形例では、携帯端末３０２は、印刷装置１０１から受信した使用情報と、読取部３２１で読取った印刷装置１０１の２次元コードおよび消耗品２２０ｃの２次元コードとに基づいて消耗品の交換が可能であると判定すると、電子ロックを解錠する解錠指示を印刷装置１０１に送信する。
【００９６】
このように、変形例においても、印刷装置１０１は、電子ロックを解除する指示を受信しなければ電子ロックを解除することがないため、利用者が誤って交換する必要のない消耗品を交換してしまうことを抑制することができる。
また、印刷装置１０１の消耗品２２０の寿命の警告表示を携帯端末３０２で行うようにしたことにより、印刷装置１０１の動作を停止させることなく、消耗品が寿命に達したことを印刷装置１０１の管理者に報知することができる。
【００９７】
なお、変形例では、携帯端末３０２が、それぞれの印刷装置１０１の消耗品２２０の使用状況を記憶部に記憶し、印刷装置１０１から受信した消耗品２２０の使用情報に基づいてそれぞれの印刷装置１０１に装着されている消耗品２２０が寿命に達したか否かの寿命の判断を行うようにしたが、それぞれの印刷装置１０１が、消耗品２２０の使用状況を記憶部に記憶し、装着されている消耗品２２０が寿命に達したか否かの寿命の判断を行うようにしても良い。
【００９８】
また、上述した実施例および変形例では、携帯端末３０２に、接続可能な印刷装置１０１の印刷装置識別情報を予め登録しておくものとして説明したが、サーバ３００で任意の接続コードを生成し、接続可能にする印刷装置１０１にその接続コードを表示するとともに、印刷装置１０１に表示された接続コードを携帯端末３０２に入力させて登録するようにし、当該接続コードが一致した場合に、携帯端末３０２と、印刷装置１０１とを接続できるようにしても良い。
【００９９】
以上説明したように、本実施例では、携帯端末が、印刷装置の消耗品が寿命に達したことを報知する警告表示画面を表示部に表示するようにしたことにより、ディスプレイ等の視覚的な報知手段を有しない印刷装置においても利用者が消耗品の交換時期を携帯端末で知ることができるという効果が得られる。
【０１００】
また、印刷装置は、電子ロックを解除する指示を受信しなければ電子ロックを解除することがないため、利用者が誤って交換する必要のない消耗品を交換してしまうことを抑制することができるという効果が得られる。
さらに、印刷装置の消耗品の寿命の警告表示を携帯端末で行うようにしたことにより、印刷装置の動作を停止させることなく、消耗品が寿命に達したことを印刷装置の管理者に報知することができるという効果が得られる。
【０１０１】
なお、本実施例では、画像形成装置をプリンタ等の印刷装置として説明したが、それに限られるものでなく、消耗品を有するものであれば複写機、ファクシミリ装置、または複合機（ＭＦＰ）等としても良い。
【符号の説明】
【０１０２】
１００  画像形成システム
１０１  印刷装置
１０２  ロール紙収納部
１０３ａ〜１０３ｄ  搬送ローラ
１０４  カッタユニット
１０５ａ〜１０５ｃ  トナーカートリッジ
１０６ａ〜１０６ｃ  イメージドラム
１０７  転写ベルト
１０８  媒体搬送経路
１０９  定着ユニット
１１０  用紙保持ローラ
１１１  画像形成部
１１２ａ〜１１２ｃ  転写ローラ
１２０ａ、１２０ｂ、２２０ａ、２２０ｂ、２２０ｃ  ２次元コード
２００  電子ロック
２０２  鉄心
２０３  ソレノイド
２２０  消耗品
２２１  嵌合穴
３００、３０１  サーバ
３０２  携帯端末
【図１】
2019008142.tif 000003
【図２】
2019008142.tif 000004
【図３】
2019008142.tif 000005
【図４】
2019008142.tif 000006
【図５】
2019008142.tif 000007
【図６】
2019008142.tif 000008
【図７】
2019008142.tif 000009